(57)【要約】【課題】  本発明は、効率的に大腰筋を鍛えることができつつも、大腰筋に負荷をかけるのに不必要な範囲にまで高弾性部が設けられることに起因して着用感が損なわれることを防止することを課題とする。【解決手段】  本発明に係るスパッツは、大腿部を持ち上げた際に臀部及び大腿後部における皮膚の伸張量が大きい部位に対応する背面の所定領域に、該所定領域以外の背面の領域及び少なくとも腹部及び大腿前部に対応する前面の領域よりも高さ方向の弾性率が高い高弾性部が設けられることを特徴とする。【選択図】      図１
2006089856.tif 000002
【特許請求の範囲】
【請求項１】
大腿部を持ち上げた際に臀部及び大腿後部における皮膚の伸張量が大きい部位に対応する背面の所定領域に、該所定領域以外の背面の領域及び少なくとも腹部及び大腿前部に対応する前面の領域よりも高さ方向の弾性率が高い高弾性部が設けられることを特徴とするスパッツ。
【請求項２】
大腿部を持ち上げた際に臀部及び大腿後部における皮膚の伸張量が大きい部位に対応する背面の所定領域に、該所定領域以外の背面の領域及び前面よりも高さ方向の弾性率が高い高弾性部が設けられることを特徴とするスパッツ。
【請求項３】
前記所定領域は、人体の臀溝に沿う線及び一対の臀部の頂点を結ぶ線の中間線と、各脚部の幅方向略中央位置を通って高さ方向に沿う一対の線とが交差してできる各交点を一端側として、高さ方向に沿って下方に延びる一対の脚部領域を含むことを特徴とする請求項１又は２に記載のスパッツ。
【請求項４】
前記所定領域は、人体の臀溝に沿う線及び一対の臀部の頂点を結ぶ線の中間線と、各脚部の幅方向略中央位置を通って高さ方向に沿う一対の線とが交差してできる各交点を一端側として、人体の大転子に対応する位置に向かって斜め上方に延びる一対の側部領域を含むことを特徴とする請求項１から３のいずれかに記載のスパッツ。
【請求項５】
前記所定領域は、人体の臀溝に沿う線及び一対の臀部の頂点を結ぶ線の中間線と、各脚部の幅方向略中央位置を通って高さ方向に沿う一対の線とが交差してできる各交点を一端側及び他端側として、幅方向に沿って延びる中央領域を含むことを特徴とする請求項１から４のいずれかに記載のスパッツ。
【発明の詳細な説明】
【技術分野】
【０００１】
本発明は、スパッツに関し、特に大腰筋を強化できるスパッツに関する。
【背景技術】
【０００２】
従来、肌や下着等の人体の表面に密着させて使用される衣類であるスパッツがスポーツの場面や日常生活において使用されている。通常、これらは、着用時に筋肉運動を補助して運動能力を高めることや体型を矯正することを目的とするものである。
【０００３】
これらのスパッツは、着用時におけるサポーターとして機能するものであって、非着用時を含めて恒久的な効果を意図したものではない。そこで、トレーニングの観点から、着用時に所定の筋肉に負荷をかけて筋肉運動を促進することにより、筋力の増強を図るスパッツなども提供されている（例えば、特許文献１）。
【０００４】
このスパッツによれば、図１０に示すように、スパッツの前面及び背面の一部に高弾性部を設け、前面側の高弾性部４０（図１０（イ）参照）によって大臀筋を、背面側の高弾性部４１（図１０（ロ）参照）によって腸腰筋（一般に、大腰筋と腸骨筋とを併せて腸腰筋と呼ばれる）や大腿四頭筋を鍛えることができるとされている。
【特許文献１】特開２００２−２１２８１４号公報
【発明の開示】
【発明が解決しようとする課題】
【０００５】
ところで、上記の筋肉の中で、大腰筋は、背骨（腰椎）と大腿骨内側とをつなぐ筋であり、主として、大腿部を持ち上げることや上体を引き上げることに寄与するものである。そのため、近年スポーツ選手などの間でこの大腰筋をトレーニングにより鍛えることの重要性が認識されている。また、上記のような大腰筋の役割に付随して、背骨の自然なＳ字湾曲を形成すること（ひいては、姿勢を矯正すること）にも貢献することが一般人の間にも認識され始め、大腰筋を鍛えることは一般的な健康法としても注目されている。
【０００６】
しかしながら、上記特許文献１に記載のスパッツは、高弾性部がスパッツの前面及び背面に設けられているため、大腿部を持ち上げた際に、背面側の高弾性部４１によって大腰筋に負荷をかけることができるものの、同時に前面側の高弾性部４０によって大腰筋の筋肉運動が補助される状態となり、大腰筋にかけられる負荷が相殺されてしまうため、筋肉を鍛えるという観点からは、十分なトレーニング効果を期待できるものではない。
【０００７】
また、前面側の高弾性部４０及び背面側の高弾性部４１は、それぞれスパッツの上端部（腰部）まで至るように配置されているため、腰の周囲には弾性率の低い部分と高い部分とが混在する状態となり、弾性率の違いによって腰の周囲でスパッツのごろ付きや波打ちが生じてしまい、着用感が良好でないという問題がある。
【０００８】
そこで、本発明は、効率的に大腰筋を鍛えることができつつも、大腰筋に負荷をかけるのに不必要な範囲にまで高弾性部が設けられることに起因して着用感が損なわれることを防止することを課題とする。
【課題を解決するための手段】
【０００９】
ところで、筋肉を鍛えるには、筋肉を収縮させる際にこれを伸展させるように負荷をかけることが効果的である。スパッツにおいては、かかる負荷は、スパッツを構成する部材の弾性張力を利用して容易に発生させることができる。ここで、弾性張力は弾性率と伸張量との積により与えられる。従って、発生させる弾性張力を大きくするには、スパッツの弾性率を高くし伸張量を大きくすることが考えられる。また、大腰筋は大腿部を持ち上げる際に主に機能する筋肉であり、かかる動作を行う際に伸張する部位は臀部及び大腿後部である。
【００１０】
そこで、発明者らは、スパッツに、臀部及び大腿後部の中でも特に皮膚の伸張量の大きな部位（以下、「高伸張領域」という）に対応させて高い弾性率を有する高弾性部を設ければ、大きな弾性張力を発生させることができ、大腰筋に効率よく負荷をかけることができるという考えに至った。
【００１１】
即ち、本発明に係るスパッツは、大腿部を持ち上げた際に臀部及び大腿後部における皮膚の伸張量が大きい部位に対応する背面の所定領域に、該所定領域以外の背面の領域及び少なくとも腹部及び大腿前部に対応する前面の領域よりも高さ方向の弾性率が高い高弾性部が設けられることを特徴とする。
【００１２】
あるいは、本発明に係るスパッツは、大腿部を持ち上げた際に臀部及び大腿後部における皮膚の伸張量が大きい部位に対応する背面の所定領域に、該所定領域以外の背面の領域及び前面よりも高さ方向の弾性率が高い高弾性部が設けられることを特徴とする。
【００１３】
また、前記所定領域は、人体の臀溝に沿う線及び一対の臀部の頂点を結ぶ線の中間線と、各脚部の幅方向略中央位置を通って高さ方向に沿う一対の線とが交差してできる各交点を一端側として、高さ方向に沿って下方に延びる一対の脚部領域を含むことが好ましい。
【００１４】
さらに、前記所定領域は、人体の臀溝に沿う線及び一対の臀部の頂点を結ぶ線の中間線と、各脚部の幅方向略中央位置を通って高さ方向に沿う一対の線とが交差してできる各交点を一端側として、人体の大転子に対応する位置に向かって斜め上方に延びる一対の側部領域を含むことがより好ましい。
【００１５】
そして、前記所定領域は、人体の臀溝に沿う線及び一対の臀部の頂点を結ぶ線の中間線と、各脚部の幅方向略中央位置を通って高さ方向に沿う一対の線とが交差してできる各交点を一端側及び他端側として、幅方向に沿って延びる中央領域を含むことがさらに好ましい。
【００１６】
上記構成からなるスパッツによれば、皮膚の伸張量が大きい領域に、高弾性部が設けられるため、発生する大きな弾性張力により大腰筋に負荷がかかって大腰筋が鍛えられるとともに、その他の部分は低弾性部となるため、必要以上にスパッツがずれることや皮膚が引っ張られることを防止することができる。
【００１７】
なお、「高さ方向」とは、スパッツが前面又は背面において左右対称となる対称軸に沿う方向である。「大腿前部」とは、人体の大腿部の前面側を指し、「大腿後部」とは、人体の大腿部の背面側を指し、「臀溝」とは、人体の臀部と大腿後部との境界線を指し、「臀部の頂点」とは、人体の臀部を側面から見たときに最も後方に突出している点を指す。次に、「大転子」とは、大腿骨頚と大腿骨体との結合部の上外側にある隆起をいう。また、「幅方向」とは、前記高さ方向に直交する方向である。さらに、「上方」とは、スパッツの高さ方向における胴部側を指し、「下方」とは、スパッツの高さ方向における脚部側を指す。そして、「前面」とは、いわゆるスパッツの前身頃を指し、「背面」とは、いわゆるスパッツの後身頃を指す。
【発明の効果】
【００１８】
以上のように、本発明によれば、効率的に大腰筋を鍛えることができつつも、大腰筋に負荷をかけるのに不必要な範囲には弾性率の高い高弾性部を設けることなく着用感を良好に維持することができる。
【発明を実施するための最良の形態】
【００１９】
以下に、本発明に係るスパッツの実施形態について、図面に基づいて説明する。
【００２０】
本実施形態に係るスパッツは、図１に示すように、胴部１と一対の脚部２，２とを有し、胴部１は腰部の形状に合わせて上方ほど幅狭に形成され、一対の脚部２，２は大腿部の形状に合わせて下方ほど幅狭に形成される。
【００２１】
そして、背面３において、人体の臀溝に沿う臀溝線Ｘ及び一対の臀部の頂点を結ぶ頂点線Ｙの中間に位置し幅方向に沿う中間線Ｚと、各脚部２，２の幅方向略中央位置を通って高さ方向に沿う一対の脚部中央線４，４とが交差してできる各交点６，６を一端側として、高さ方向に沿って下方に延びる一対の脚部領域７，７と、前記各交点６，６を一端側として、人体の大転子に対応する位置８に向かって斜め上方に延びる一対の側部領域９，９と、前記各交点６，６を一端側及び他端側として、幅方向に沿って延びる中央領域１０とを備えて構成される領域１１に、該領域以外の背面３における領域及び前面よりも高さ方向の弾性率が高い高弾性部が設けられている。以下、高弾性部が設けられるスパッツ上の領域を「高弾性領域」という。
【００２２】
また、このスパッツは、縦方向と横方向の弾性率が異なる生地を用いて作られている。なお、以下、異方性を有する生地のうち、弾性率が高い方向を「高弾性方向」といい、弾性率が低い方向を「低弾性方向」という。
【００２３】
前記高弾性領域１１には、図２に示すように、低弾性方向Ａが幅方向に沿い、高弾性方向Ｂが高さ方向に沿うように、即ち幅方向より高さ方向に弾性率が大きくなるように高弾性生地が配置される。具体的には、高さ方向の弾性率は幅方向の弾性率の約１．６倍（６０％伸張時）である。これを実現するために、弾性生地が重ね合わせて使用され、例えばパワーネットと２ＷＡＹトリコットとが接合させて使用される。具体的には、パワーネットの高弾性方向と２ＷＡＹトリコットの高弾性方向とが直交するように配置され、パワーネットは２ＷＡＹトリコットの裏面に縫合される。なお、図２における矢印の太さは、弾性率の高低を表す。
【００２４】
また、スパッツの背面３は、前記高弾性領域１１によって、臀部上方領域１２と、一対の脚側部領域１３，１３と、脚股部領域１４の四つの領域に分割され、各領域に、高弾性生地よりも高さ方向の弾性率が小さい低弾性生地が配置される。
【００２５】
臀部上方領域１２には、低弾性方向Ｃが高さ方向に沿い、高弾性方向Ｄが幅方向に沿うように、即ち高さ方向より幅方向に弾性率が大きくなるように低弾性生地が配置される。具体的には、幅方向の弾性率は高さ方向の弾性率の約１．２倍（６０％伸張時）である。これを実現するために、例えば２ＷＡＹトリコットが使用される。
【００２６】
また、一対の脚側部領域１３，１３及び脚股部領域１４には、前記臀部上方領域１２と逆に、低弾性方向Ｃが幅方向に沿い、高弾性方向Ｄが高さ方向に沿うように、即ち高さ方向より幅方向に弾性率が低くなるように低弾性生地が配置される。具体的には、高さ方向の弾性率は幅方向の弾性率の約１．２倍（６０％伸張時）である。これを実現するために、例えば臀部上方領域１２と同様の生地である２ＷＡＹトリコットが使用されるが、その低弾性方向Ｃ及び高弾性方向Ｄは前記臀部上方領域１２におけるそれらの方向とそれぞれ直交している。
【００２７】
さらに、図３に示すように、スパッツの前面１５には、背面３の高弾性領域１１に配置される生地よりも高さ方向の弾性率が低くなるように低弾性生地が使用される。具体的には、低弾性方向Ｃが高さ方向に沿い、高弾性方向Ｄが幅方向に沿うように、即ち高さ方向より幅方向に弾性率が大きくなるように生地が配置される。より具体的には、幅方向の弾性率は高さ方向の弾性率の約１．２倍（６０％伸張時）である。これを実現するために、例えば臀部上方領域１２などと同様の生地である２ＷＡＹトリコットが使用される。
【００２８】
なお、高弾性生地と低弾性生地の各方向の６０％伸張時における弾性率の大きさを比率によって表すと、低弾性生地の低弾性方向Ｃを１とすれば、該低弾性生地の高弾性方向Ｄが約１．２、高弾性生地の低弾性方向Ａが約２．５、該高弾性生地の高弾性方向Ｂが約４である。
【００２９】
上記の構成からなるスパッツを着用すれば（図４参照）、背面３の高弾性領域１１に使用される高弾性生地によって、大腿部を持ち上げる動作（以下、「股関節屈曲動作」という）を行った際に、大腰筋に負荷をかけるのに有効なスパッツの背面側において、大きな弾性張力が発生する。一方、前面１５には低弾性生地が使用されるため、背面側で発生する弾性張力は前面側で発生するサポート力（筋肉運動を補助する力）を上回り、弾性張力が阻害されることなく大腰筋に作用して大腰筋を確実に強化することができる。
【００３０】
また、臀部上方領域１２に配置される低弾性生地は、股関節屈曲動作を行った際に、高弾性領域１１に使用される高弾性生地よりも容易に伸張する。一方、臀部上方領域１２より下方側の高弾性領域１１に配置される高弾性生地は高い弾性率を有することから、股関節屈曲動作による皮膚の伸張に高弾性生地の一部が追従できず、高弾性生地がスパッツを下方に引っ張ってずり下げるように張力を発生させる。このとき、臀部上方領域１２に配置される低弾性生地は皮膚の伸張と高弾性生地の伸張との差を補うように伸張する。これにより、スパッツが腰部から下方にずれ下がるのを有効に防止でき、着用感を良好に維持することができる。
【００３１】
そして、一対の脚側部領域１３，１３及び脚股部領域１４に配置される低弾性生地も、股関節屈曲動作を行った際に、高弾性領域１１に使用される高弾性生地よりも容易に伸張する。ところで、股関節屈曲動作を行うと、大腿部内に存在する各種の筋肉が収縮することにより、大腿部の周囲長が大きく変化する。ここで、大腿部の周方向に沿って高弾性生地を使用しても、発生する弾性張力は大腿部内の各種の筋肉に作用するのであって大腰筋に直接作用するものではないため、大腰筋を増強させる観点からはかかる領域に高弾性生地を使用する必要性は低い。従って、一対の脚側部領域１３，１３及び脚股部領域１４には、低弾性生地が配置される。これにより、スパッツの脚部は大腿部の周囲長の変化に追従しやすくなり、着用感を良好に維持することができる。
【００３２】
さらに、スパッツの前面１５に使用される低弾性生地も、股関節屈曲動作を行った際に、高弾性領域１１に使用される高弾性生地よりも容易に伸張する。これにより、背面に使用される高弾性生地によって発生しがちな締め付けられる感覚が緩和され、着用感を良好にすることができる。
【００３３】
そして、臀部上方領域１２においては、低弾性方向Ｃが高さ方向に沿うことで、低弾性生地が下方に一層伸張しやすくなり、スパッツが腰部から下方にずれ下がるのを一層有効に防止でき、着用感を良好にすることができる。一方、高弾性方向Ｄが幅方向に沿うことで、スパッツが腰部を確実に締め付ける状態となり、一般に臀部は腰部より周が長いことと相まって、スパッツが腰部から下方にずれ下がるのを有効に防止でき、着用感を良好にすることができる。
【００３４】
さらに、一対の脚側部領域１３，１３及び脚股部領域１４においては、低弾性方向Ｃが幅方向に沿うことで、低弾性生地が幅方向に一層伸張しやすくなり、大腿部の周囲長の変化に追従して着用感を良好にすることができる。一方、高弾性方向Ｄが高さ方向に沿うことで、同様に脚部の高さ方向に沿って配置される高弾性生地との弾性率の差を吸収され、着用感を良好に維持することができる。
【００３５】
また、前面１５においては、臀部上方領域１２における生地配置と同様に、低弾性方向Ｃが高さ方向に沿うことで、低弾性生地が下方に一層伸張しやすくなり、スパッツが腰部から下方にずれ下がるのを一層有効に防止でき、着用感を良好にすることができる。一方、高弾性方向Ｄが幅方向に沿うことで、スパッツが腰部を確実に締め付ける状態となり、一般に臀部は腰部より周が長いことと相まって、スパッツが腰部から下方にずれ下がるのを有効に防止でき、着用感を良好にすることができる。
【００３６】
さらに、背面３の高弾性領域１１に配置される高弾性生地と前面１５に使用される低弾性生地との関係から見れば、高弾性領域１１においては高弾性生地の高弾性方向Ｂが高さ方向に沿い、前面１５においては低弾性方向Ｃが高さ方向に沿うことで、弾性率の差を大きくすることができ、股関節屈曲動作を行った際にスパッツの背面側においてより大きな弾性張力を発生させることができる一方、前面１５に使用される低弾性生地によって発生するサポート力が背面側において発生した弾性張力を減少させることなく、大腰筋のトレーニング効果を十分に発揮させることができる。
【００３７】
ところで、股関節屈曲動作時における皮膚の伸張量の程度は、図５に示される。なお、図５は、伸張の程度を色彩の濃淡で表したものであり、右の基準にも表されるとおり、色彩の濃い部位ほど伸張量が大きく、色彩の淡い部位ほど伸張量が小さいことを表している。例えば、８の領域は、股関節屈曲動作を行うことによって皮膚が約１８〜約２０％伸張する領域であることを示す。
【００３８】
そこで、本実施形態においては、高弾性領域１１は、高伸張領域に対応すべく、図６に示すように、スパッツの背面３において以下の要領で特定される所定領域１６を少なくとも含むようにする。この所定領域１６は、両側端縁１７，１７が重なるようにスパッツを臀裂線１８（スパッツの幅方向中心線）に沿って前面側に折り畳んだ状態において、一対の脚部２，２が接続する付け根位置から幅方向に沿う線を股下線１９とした場合に、該股下線１９における脚部のほぼ中間点（中心点２０）を中心とし、幅方向及び高さ方向に沿う四角形状を有する。
【００３９】
具体的には、所定領域１６は、前記股下線１９における脚部の寸法を基準長（例えば２２０ｍｍ）として、好ましくは、少なくとも幅方向に基準長の約１８％（例えば４０ｍｍ）、高さ方向に約２７％（例えば６０ｍｍ）の寸法を有する領域１６ａである。より好ましくは、少なくとも幅方向に約２７％（例えば６０ｍｍ）、高さ方向に約４５％（例えば１００ｍｍ）の寸法を有する領域１６ｂである。
【００４０】
また、前記高弾性領域１１は、図７にも示すように、前記所定領域１６及び、該所定領域１６から高さ方向に沿って下方に延びる脚部領域２１を含んで構成される。このようにすれば、大きな弾性張力をより効率よく得ることができる一方、該脚部領域２１に高弾性生地を配置しても、スパッツのずれ下がりには影響せず、着心地を悪化させることはない。また、スパッツの脚部２は人体の大腿部の形状に合わせて下方ほど幅狭に形成されるため、かかる脚部領域２１に高弾性生地を配置してもスパッツがずれ上がることはない。
【００４１】
具体的には、この脚部領域２１は、股下線１９の中間点２０を通って高さ方向に沿い、好ましくは、少なくとも約１８％（例えば４０ｍｍ）の幅を有する。より好ましくは、少なくとも前記基準長に対して約２７％（例えば６０ｍｍ）の幅を有する。また、該脚部領域２１は下方ほど幅狭に形成されていてもよい。なお、脚部領域２１は、必ずしもスパッツの下端に至るように構成される必要はない。
【００４２】
より好ましくは、前記高弾性領域１１は、前記所定領域１６と前記脚部領域２１とを含み、さらに、前記高弾性領域１１から斜め上方に延びる一対の側部領域２２を含んで構成される。このようにすれば、大きな弾性張力をさらに効率よく得ることができる。具体的には、この側部領域２２は、前記中心点２０から大転子の対応位置８に至る線を中心として、好ましくは、少なくとも約１８％（例えば４０ｍｍ）の幅を有する。より好ましくは、少なくとも前記基準長に対して約３２％（例えば７０ｍｍ）の幅を有する。また、該側部領域２２は、必ずしも側端縁１７（即ち、大転子の対応位置８）に至るように構成される必要はない。
【００４３】
さらに好ましくは、前記高弾性領域１１は、前記所定領域１６と前記脚部領域２１と前記側部領域２２とを含み、さらに、一対の所定領域１６，１６を結ぶ中央領域２３を含んで構成される。このようにすれば、大きな弾性張力をさらに効率よく得ることができる。具体的には、この中央領域２３は、前記所定領域１６における前記中心点２０より上方の位置から幅方向に延び、前記中間線Ｚを中心として、好ましくは、少なくとも約９％（例えば２０ｍｍ）の幅を有する。より好ましくは、少なくとも前記基準長に対して約１４％（例えば３０ｍｍ）の幅を有する。また、該中央領域２３は臀裂線１８と交わる位置（即ち、中央領域２３の中間位置）において最も幅が細くなる形状を有していてもよい。
【００４４】
上記構成からなるスパッツを用いて、大腰筋が増強されたことによるＳ字湾曲の矯正効果を検証する実験を行った。
【００４５】
実験は、女性の被験者７名を４名と３名のグループに分け、それぞれのグループの被験者に異なるスパッツを着用させた上で、トレーニングとして股関節屈曲動作を一日５０回、連続４週間行うことにより実施された。
【００４６】
ここで、４名からなるグループの被験者が装着したスパッツは、本実施形態に係るものであり、３名からなるグループの被験者が装着したスパッツは、高弾性生地を用いず、低弾性生地として２ＷＡＹトリコットのみを用いて構成された通常のスパッツである。
【００４７】
なお、背面に所定間隔ごとに格子点が形成されたスパッツを同一被験者に着用させて股関節屈曲動作をさせ、本実施形態に係るスパッツの高弾性領域１１若しくは通常のスパッツのそれに該当する領域における各格子点間隔の伸張量を計測して得られたそれぞれの値に、材料実験により得られた生地のそれぞれの弾性率をかけ合わせ、スパッツの弾性張力の比を算出したところ、通常のスパッツの弾性張力を１００とすれば、本実施形態に係るスパッツの弾性張力は１５５であることが分かった。
【００４８】
そして、実験前と実験後のＳ字湾曲の度合いを、それぞれスパッツを着用しない状態において計測した。計測は、被験者を約４．５ｋｍ／ｈで歩行訓練用具（トレッドミル）上を歩行させ、走行姿勢（Ｓ字湾曲の形状）を測定することにより行った。なお、Ｓ字湾曲の測定に際しては、図８（イ）に示すように、被験者の背中に第７頚椎を起点として骨盤位置まで１０個のマーカー（Ｓ１〜Ｓ１０）をほぼ等間隔に取り付け、各マーカーの位置をモーションキャプチャー装置（バイコン）によって計測することにより行った。また、測定結果は、右足若しくは左足着地それぞれ１６歩分のデータを抽出し、分散分析を行って算出された。なお、有意水準は１％である。
【００４９】
そして、図８（ロ）に示すように、Ｓ１とＳ５との前後方向における長さ（上部湾曲長さ）と、Ｓ５とＳ９との前後方向における長さ（下部湾曲長さ）とを計測し、各グループの被験者の実験前と実験後の長さの変化を平均値によって求めた。ここで、上部湾曲はいわゆる猫背に関係し、上部湾曲長さが大きいほど姿勢が前傾していることを示しており、下部湾曲が大きいほどＳ字の湾曲が急であることを示しており、上部湾曲長さが小さくなり、下部湾曲長さが大きくなれば、Ｓ字湾曲が改善されたと言える。
【００５０】
この結果、通常のスパッツを着用させたグループの被験者は、３名の平均値として、上部湾曲長さが約５２ｍｍから約５０ｍｍに減少し、下部湾曲長さが約３１ｍｍから約２９ｍｍに減少したのに対し、本実施形態に係るスパッツを着用させたグループの被験者は、４名の平均値として、上部湾曲長さが約４０ｍｍから約３５ｍｍに減少し、下部湾曲長さが約３１ｍｍから約３８ｍｍに増加したことが判明した。
【００５１】
即ち、通常のスパッツでは、上部湾曲長さが約３．８％改善するに留まり、下部湾曲長さは逆に約６．５％悪化したのに対し、本実施形態に係るスパッツでは、上部湾曲長さが約１２．５％改善し、下部湾曲長さは約２２．６％改善した。これは、ともにスパッツを着用しない状態において得られた結果であることから、本発明に係るスパッツを着用してトレーニングを行うことにより、大腰筋を効率的に増強することができることが分かる。
【００５２】
なお、本発明に係るスパッツは、上記実施形態に限定されるものではなく、本発明の要旨を逸脱しない範囲で種々の変更が可能である。
【００５３】
例えば、スパッツの前面１５において、図９（イ）に示すように、一対の脚部２，２の両側に一対の前面脚側部領域２４，２４を設け、他の部分には高さ方向より幅方向に弾性率が大きくなるように生地を配置するとともに、一対の前面脚側部領域２４，２４には幅方向より高さ方向に弾性率が大きくなるように生地を配置してもよい。このようにすれば、股関節屈曲動作の際に大腿部の周囲長の変化にスパッツが追従するため、着用感をより向上させることができる。
【００５４】
また、図９（ロ）に示すように、一端がスパッツの上方の両側端部に位置し他端が股部に至る境界線によって画され、主に腹部を覆う腹部領域２５を設け、この腹部領域２５に高さ方向より幅方向に弾性率が大きくなるようにパワーネットを配置してもよい。このようにすれば、人体の腹部が引き締められるため、シェイプアップ効果を奏する。
【００５５】
さらに、図９（ハ）に示すように、前記腹部領域２５の下方に、前記腹部領域２５より下方且つ前記前面脚側部領域２４より上方に位置する境界線によって画される大腿部付け根領域２６を設け、この大腿部付け根領域２６に他の領域を覆う生地より目の粗い生地を配置してもよい。このようにすれば、股関節屈曲動作の際に大腿部の付け根部分において多量に発生する生地の弛み若しくは皺が、生地の目が圧縮されることによって有効に吸収されるため、着用感を向上させることができる。
【００５６】
そして、本発明に係るスパッツの高弾性領域１１においては、高弾性生地としてのパワーネットを低弾性生地としての２ＷＡＹトリコットの裏面に縫合したが、パワーネットを２ＷＡＹトリコットの表面に縫合し、パワーネットがスパッツの表面に現れるように配置してもよい。このように構成すれば、着用時の生地のごろ付き感が軽減される。
【００５７】
また、高弾性領域１１には、他の領域より高さ方向の弾性率が大きくなるように高弾性生地を配置すればよいため、低弾性生地における高弾性方向Ｄの弾性率が高弾性生地における低弾性方向Ａの弾性率より大きくてもよい。即ち、低弾性生地の低弾性方向Ｃを１とした場合に、例えば低弾性生地の高弾性方向Ｄが約２．５であり高弾性生地の低弾性方向Ａが約１．２となる構成であってもよい。
【００５８】
さらに、本実施形態においては、異方性を有する高弾性生地及び低弾性生地を用いたが、二つの生地の弾性率が異なるものであれば、それぞれの生地における縦方向と横方向の弾性率が同等のもの、即ち等方性を有する生地を用いてもよい。
【００５９】
そして、本実施形態においては、高弾性方向と低弾性方向との弾性率及び／又は高弾性生地と低弾性生地との弾性率が異なる生地として２ＷＡＹトリコットやパワーネットを使用したが、これらに限られるものではなく、編み糸の種類や編み密度、編み組織、編み糸の本数を適宜変更することにより、任意の弾性率の生地を得て使用することもできる。
【００６０】
また、高弾性部を設けるには、高弾性生地を使用するだけでなく、例えばポリウレタンなどの高弾性部材としての樹脂シートを使用してもよい。具体的には、高弾性領域は、高弾性部材が２ＷＡＹトリコットに縫合若しくは接合されて構成されるものであってもよく、他の部材を用いずにポリウレタンなどの高弾性部材のみによって構成されるものであってもよい。
【００６１】
そして、スパッツの上端内側（即ち、腰周り）及び／又は脚部の下端内側に、ゴム等からなる滑り止めを取り付けてもよい。このようにすれば、スパッツのずれ下がり若しくはずれ上がりを有効に防止することができる。
【００６２】
また、本実施形態に係るスパッツの脚部２は人体の大腿部に対応するものであるが、下端がより下方に延びてくるぶしまで対応するものであってもよい。この場合に、スパッツの大腿部より下方の領域は、大腰筋を強化するのに直接寄与する領域ではなく、且つ着心地に影響を与える領域でもないため、例えば下腿部の前面及び／又は背面に対応する領域に高弾性部材を配置してもよい。このようにしても大腰筋を強化するのが阻害されることはない一方、これによってその他の目的にも同時に対応可能なスパッツを提供することができる。
【図面の簡単な説明】
【００６３】
【図１】本発明の実施形態に係るスパッツにおける背面の平面図を示す。
【図２】同実施形態に係るスパッツの背面における弾性方向の概念図を示す。
【図３】同実施形態に係るスパッツにおける前面の平面図を示す。
【図４】同実施形態に係るスパッツを着用した状態の概念図を示す。
【図５】股関節屈曲動作を行った際に生じる人間の皮膚の伸張の程度を表す概念図を示す。
【図６】同実施形態に係るスパッツを左右対称に折り畳んだ図を示す。
【図７】同実施形態に係るスパッツにおける背面の平面図を示す。
【図８】（イ）は、人体の背骨のＳ字湾曲を計測すべく、背中にマーカーを取り付けた状態を示し、（ロ）は、計測対象である上部湾曲長さと下部湾曲長さとを示す。
【図９】本発明の他の実施形態に係るスパッツにおける前面の平面図を示し、（イ）は、前面脚側部領域を設けたもの、（ロ）は、（イ）に腹部領域を設けたもの、（ハ）は、（ロ）にさらに大腿部付け根領域を設けたものを示す。
【図１０】従来のスパッツの平面図を示し、（イ）は前面側、（ロ）は背面側を示す。
【符号の説明】
【００６４】
１…胴部、２…脚部、３…背面、４…脚部中央線、６…交点、７…脚部領域、８…大転子の対応位置、９…側部領域、１０…中央領域、１１…高弾性領域、１２…臀部上方領域、１３…脚側部領域、１４…脚股部領域、１５…前面、１６…所定領域、１７…側端縁、１８…臀裂線、１９…股下線、２０…中心点、２１…脚部領域、２２…側部領域、２３…中央領域、２４…前面脚側部領域、２５…腹部領域、２６…大腿部付け根領域、４０…前面側の高弾性部、４１…背面側の高弾性部、Ｘ…臀溝線、Ｙ…頂点線、Ｚ…中間線
【図１】
2006089856.tif 000003
【図２】
2006089856.tif 000004
【図３】
2006089856.tif 000005
【図４】
2006089856.tif 000006
【図５】
2006089856.tif 000007
【図６】
2006089856.tif 000008
【図７】
2006089856.tif 000009
【図８】
2006089856.tif 000010
【図９】
2006089856.tif 000011
【図１０】
2006089856.tif 000012